(57)【要約】【目的】屋根，壁等の嵌合タイプの外囲体において、力学的強度及び耐久性に優れ、且つ太陽光発電ユニット等の種々の構造物を極めて設置し易い構造にすることができる建築用キャップ材及びその外囲体とすること。【構成】上面部１１の幅方向両側より嵌合脚部１２が形成されると共に、前記上面部１１の幅方向中間箇所には上方側に向かって垂直状立上り部２１と、水平状部２２とからなるＴ形状部２が形成された建築用キャップ材Ａ1を有すること。主板３１の幅方向両側に半山形状部３２が形成され該半山形状部３２の上端に前記建築用キャップ材Ａ1の嵌合脚部１２と嵌合する被嵌合部３３が形成された建築用板材３とからなり、該建築用板材３が複数並設され、その隣接する前記建築用板材３の対向する両被嵌合部３３に前記建築用キャップ材Ａ1が嵌合固着された外囲体とすること。【選択図】      図１
2013245543.tif 000002
【特許請求の範囲】
【請求項１】
上面部の幅方向両側より嵌合脚部が形成されると共に、前記上面部の幅方向中間箇所には上方側に向かって垂直状立上り部と水平状部とからなるＴ形状部が形成されてなることを特徴とする建築用キャップ材。
【請求項２】
請求項１において、前記上面部は平坦状に形成されてなることを特徴とする建築用キャップ材。
【請求項３】
請求項１において、前記上面部は半円形状に形成されてなることを特徴とする建築用キャップ材。
【請求項４】
請求項１において、前記上面部は凹形状に形成されてなることを特徴とする建築用キャップ材。
【請求項５】
上面部の幅方向両側より嵌合脚部が形成されると共に前記上面部には幅方向中間箇所から上方側に向かってＴ字形状を構成するようにして垂直状立上り部と、水平状部とが一体形成されてなる建築用キャップ材と、主板の幅方向両側に半山形状部が形成され該半山形状部の上端に前記建築用キャップ材の嵌合脚部と嵌合する被嵌合部が形成された建築用板材とからなり、該建築用板材が複数並設され、その隣接する前記建築用板材の対向する両被嵌合部に前記建築用キャップ材が嵌合固着されてなることを特徴とする外囲体。
【請求項６】
請求項５において、前記建築用キャップ材の前記上面部と、前記Ｔ形状部の水平状部との間に太陽光発電ユニットが挟持状態で装着されてなることを特徴とする外囲体。
【発明の詳細な説明】
【技術分野】
【０００１】
本発明は、屋根，壁等の嵌合タイプの外囲体において、力学的強度及び耐久性に優れ、且つ太陽光発電ユニット等の種々の構造物を極めて設置し易い構造にすることができる建築用キャップ材及びその外囲体に関する。
【背景技術】
【０００２】
従来、金属製の折板タイプの建築用板材とキャップ材からなり、複数の前記建築用板材が並設され、その隣接する建築用板材の対向する被嵌合部にキャップ材を嵌合させて、屋根、壁等の外囲体を構成するものが多く存在し、盛んに施工されている。そして、現在、この種の屋根（又は壁）に、太陽光発電ユニット等の装置や構造物を装着することが多くなり始めている。
【先行技術文献】
【特許文献】
【０００３】
【特許文献１】特開２０１１―１８５０１４号公報
【特許文献２】特開２００６―３０７５６７号公報
【発明の開示】
【発明が解決しようとする課題】
【０００４】
前述したように、建築用板材及びキャップ材によって構成される屋根，壁等の外囲体では、強風等に十分に耐えられるように、部材を強固にする必要があるが、強固にすることで部材が重くなり、施工が困難となる問題点が生じる。また、屋根，壁等の外囲体に太陽光発電ユニット等の装置や構造物を装着する必要性もあり、そのための手段は、種々存在する。たとえば、外囲体に対して、建築用取付具等の金具を介して太陽光発電ユニット等の装置や構造物を装着する手段が一般的である。その一例として、特許文献１，２等が存在する。
【０００５】
しかし、この種のものでは、屋根や壁等の外囲体を構成するための部材以外に太陽光発電ユニット等の装置や構造物を固着するための部材や金具が必要である。したがって、外囲体を構成する部材が増えると共に、工程も増えることになる。本発明の目的（解決しようとする技術的課題）は、外囲体を構成するほとんど建築用板材とキャップ材のみで、太陽光発電ユニット等の装置や構造物を外囲体に装着し、これによって、部品数及び工程を少なくし、しかも作業効率を向上させることにある。
【課題を解決するための手段】
【０００６】
そこで、発明者は上記課題を解決すべく、鋭意,研究を重ねた結果、請求項１の発明を、上面部の幅方向両側より嵌合脚部が形成されると共に、前記上面部の幅方向中間箇所には上方側に向かって垂直状立上り部と、水平状部とからなるＴ形状部が形成されてなる建築用キャップ材としたことにより、上記課題を解決した。
【０００７】
請求項２の発明を、請求項１において、前記上面部は平坦状に形成されてなる建築用キャップ材としたことにより、上記課題を解決した。請求項３の発明を、請求項１において、前記上面部は半円形状に形成されてなる建築用キャップ材としたことにより、上記課題を解決した。請求項４の発明を、請求項１において、前記上面部は凹形状に形成されてなる建築用キャップ材としたことにより、上記課題を解決した。
【０００８】
請求項５の発明を上面部の幅方向両側より嵌合脚部が形成されると共に前記上面部には幅方向中間箇所から上方側に向かってＴ字形状を構成するようにして垂直状立上り部と、水平状部とが一体形成されてなる建築用キャップ材と、主板の幅方向両側に半山形状部が形成され該半山形状部の上端に前記建築用キャップ材の嵌合脚部と嵌合する被嵌合部が形成された建築用板材とからなり、該建築用板材が複数並設され、その隣接する前記建築用板材の対向する両被嵌合部に前記建築用キャップ材が嵌合固着されてなる外囲体としたことにより、上記課題を解決した。
【０００９】
請求項６の発明を、請求項５において、前記建築用キャップ材の前記上面部と、前記Ｔ形状部の水平状部との間に太陽光発電ユニットが挟持状態で装着されてなる外囲体としたことにより、上記課題を解決した。
【発明の効果】
【００１０】
請求項１の発明では、建築用キャップ材の上面部に、上面部の幅方向両側より嵌合脚部が形成されると共に前記上面部には幅方向中間箇所から上方側に向かってＴ字形状を構成するようにして垂直状立上り部と、水平状部とが一体形成されてなるＴ形状部が形成されたものである。
【００１１】
このように、建築用キャップ材にＴ形状部が形成されることによって、長手方向に直交する断面形状は折曲箇所が増加し、そのために力学的強度が増加し、耐久性のあるものにでき、特に、材質を厚くすることなく力学的強度を増加させ、耐久性のあるものにでき、ひいては、建築用キャップ材を使用して施工された外囲体も力学的強度に優れたものにできる。
【００１２】
さらに、建築用キャップ材を屋根，壁等の外囲体を構成する部材として使用することによって、太陽光発電ユニット或いはその他の装置或いは構造物を外囲体に装着することが、極めて容易且つ効率的にできる。すなわち、従来では、嵌合タイプの折板屋根（或いは壁）等の外囲体では、その構造又は外形において太陽光発電ユニット等の構造物を取り付けるための部位が存在しておらず、外囲体に別の取付具を装着し、該取付具を介して両者を連結しなくてはならないものであった。
【００１３】
本発明では、前述したように、建築用キャップ材Ａ1の上面部には略Ｔ字形のＴ形状部を形成しており、建築用キャップ材には一切加工することなく、太陽光発電ユニット等の種々の構造物を極めて容易に装着することができる。
【００１４】
請求項２の発明では、建築用キャップ材の上面部は平坦状（略平坦状も含む）に形成されているので、太陽光発電ユニット等の構造物を極めて安定した状態で設置することができる。請求項３の発明では、前記上面部は半円形状に形成されたことにより、太陽光発電ユニット等の構造物を最も装着し難い形状であるにも関わらず、その上面部の頂部箇所に係止溝を形成したことにより、前記構造物を装着し易いものにすることができる。その他は請求項２と略同等の効果を奏する。
【００１５】
請求項４の発明では、建築用キャップ材の上面部は凹形状に形成されてなる建築用キャップ材としたことにより、凹形状とした上面部にさらに前述したように蟻溝（或いは鳩尾形状）とした係止溝が加わることで、より一層力学的強度が向上する。その他は請求項２と略同等の効果を奏する。
【００１６】
請求項５の発明では、本発明における建築用キャップ材を、主板の幅方向両側に半山形状部が形成され該半山形状部の上端に前記建築用キャップ材の嵌合脚部と嵌合する被嵌合部が形成された建築用板材と共に使用して、屋根，壁等の外囲体を構成したものである。      
【００１７】
これによって、外囲体に対して、太陽光発電ユニット或いはその他の装置或いは構造物を装着することが、極めて容易且つ効率的にできる。請求項６の発明では、前記建築用キャップ材には何ら加工することなく、最少部品数にて太陽光発電ユニットを外囲体に装着することができ、しかも簡易且つ迅速にできる。
【図面の簡単な説明】
【００１８】
【図１】(Ａ)は本発明における外囲体の正面略示図、(Ｂ)は (Ａ)の（ア）部拡大断面図である。
【図２】(Ａ)は本発明における建築用キャップ材の縦断拡大正面図、(Ｂ)は建築用キャップ材の斜視図、（Ｃ）は建築用キャップ材の別のタイプの縦断正面略示図。
【図３】外囲体に太陽光発電ユニットを装着した状態の平面略示図である。
【図４】(Ａ)は本発明における建築用キャップ材の第２実施形態の縦断正面略示図、(Ｂ)は第２実施形態の建築用キャップ材を使用した外囲体の縦断正面略示図である。
【図５】(Ａ)は本発明における建築用キャップ材の第３実施形態の縦断正面略示図、(Ｂ)は第３実施形態の建築用キャップ材を使用した外囲体の縦断正面略示図である。
【発明を実施するための形態】
【００１９】
以下、本発明を図面に基づいて説明する。まず、本発明における建築用キャップ材Ａ1及び外囲体Ａを構成する建築用板材３について説明する。建築用キャップ材Ａ1は、複数の実施形態が存在し、まず第１実施形態から説明する。図１，図２は、第１実施形態の建築用キャップ材Ａ1及びその外囲体Ａが示されている。
【００２０】
建築用キャップ材Ａ1は、本体部１及びＴ形状部２とから構成されている。本体部１は、その長手方向に長尺物として形成されたものであり〔図２（Ｂ）参照〕、上面部１１と嵌合脚部１２，１２とからなる。
【００２１】
そして、前記上面部１１の幅方向両側より下方側に向かって前記嵌合脚部１２，１２が形成されている〔図２（Ａ），（Ｂ）参照〕。上面部１１は、平坦状又は略平坦状に形成されている。嵌合脚部１２は、側片１２ａ，嵌合屈曲片１２ｂ及び下端屈曲片１２ｃから構成されている。前記両嵌合屈曲片１２ｂ，１２ｂは相互に向かい合うように本体部１の内方側向かって膨出形成されている。
【００２２】
前記上面部１１には、Ｔ形状部２が形成されている。該Ｔ形状部２は、垂直状立上り部２１と水平状部２２とから構成され、前記上面部１１と共に、１枚の金属薄板材から一体形成されたものである〔図２（Ａ）参照〕。前記垂直状立上り部２１は、上面部１１の幅方向中間箇所から左右対称に立上り片２１ａ，２１ａが形成される。
【００２３】
該両立上り片２１ａ，２１ａは、前記上面部１１の幅方向中間位置において上方に向かって垂直状に折曲形成することによって形成されたもので、両立上り片２１ａ，２１ａは近接した状態である〔図２（Ａ）参照〕。また、両立上り片２１ａ，２１ａ同士を密着状にすることもある。
【００２４】
両立上り片２１ａ，２１ａの上端からそれぞれ上面部１１の幅方向外方側に向かって略直角となるように水平状折曲片２２ａ，２２ａが形成されている。さらに、両水平状折曲片２２ａ，２２ａの外端から上方に折返し状に水平状折返し片２２ｂが形成されている〔図２（Ａ），（Ｂ）参照〕。
【００２５】
水平状折返し片２２ｂは、両水平状折曲片２２ａ，２２ａと連続して一体形成されたものである。前記垂直状立上り部２１と水平状部２２とによって、Ｔ形状部２は、長手方向に直交する断面が略「Ｔ」字形状に形成される〔図２（Ａ）参照〕。
【００２６】
上面部１１と垂直状立上り部２１と水平状部２２とによって、Ｔ形状部２の幅方向両側には、略長方形，正方形等の方形状の挿入用空隙部２３が構成される〔図２（Ａ）参照〕。該挿入用空隙部２３には、太陽光発電ユニット６の枠部６１が挿入される〔図１（Ｂ）参照〕。
【００２７】
また、前記上面部１１においてＴ形状部２の付け根部分の幅方向両側には平坦状頂片１１ａ，１１ａが形成されることもある。つまり、前記上面部１１は、幅方向中心箇所が最も高位置となり、この中心箇所から幅方向両側に向かって僅か下方に下がるように傾斜する傾斜片となっている〔図２（Ａ）参照〕。
【００２８】
本発明においては、このような形状も略平坦状の概念に含まれるものとしているが、上面部１１を高い精度で平坦状とするために、前記平坦状頂片１１ａ，１１ａが形成される〔図２（Ｃ）参照〕。これによって、後述する太陽光発電ユニット６が上面部１１に設置される際に、安定した設置状態を得ることができる。
【００２９】
建築用キャップ材Ａ1の第２実施形態としては、前記上面部１１が半円形状に形成されたものである（図４参照）。具体的には、建築用キャップ材Ａ1の長手方向に直交する断面形状において、上面部１１の略全体が略半円形状に形成され、該上面部１１の幅方向両側で且つ下方側では略平坦な傾斜面に形成されている。
【００３０】
そして嵌合脚部１２，１２は、前記上面部１１の下端から内方に向かって略水平状の水平嵌合片１２ｄが形成され、該水平嵌合片１２ｄの内端から下方に向かって屈曲端辺１２ｅが形成されている〔図４（Ａ）参照〕。Ｔ形状部２は、略半円形状とした上面部１１の幅方向中間箇所に形成され、具体的には上面部１１の頂部箇所に形成されることになる。
【００３１】
つまり、上面部１１の頂部箇所でＴ形状部２の幅方向両側箇所には。部分的に水平方向に平坦面となるように、平坦状頂片１１ａ，１１ａが形成されることもある〔図４（Ａ）参照〕。該平坦状頂片１１ａ，１１ａは、後述する太陽光発電ユニット６が上面部１１に設置される際に、安定した設置状態を得ることができる〔図４（Ｂ）参照〕。
【００３２】
建築用キャップ材Ａ1の第３実施形態としては、前記上面部１１が凹形状に形成されたものである（図５参照）。具体的には、建築用キャップ材Ａ1の長手方向に直交する断面形状において、上面部１１の略中間箇所に略扁平長方形状の窪み部１１ｂが形成されたものである〔図５（Ａ）参照〕。
【００３３】
そして、嵌合脚部１２，１２は、前記第２実施形態と略同様に前記上面部１１の下端から内方に向かって略水平状の水平嵌合片１２ｄが形成され、該水平嵌合片１２ｄの内端から下方に向かって屈曲端辺１２ｅが形成されている〔図５（Ａ）参照〕。Ｔ形状部２は、上面部１１に形成された前記窪み部１１ｂの幅方向中間箇所に形成される。
【００３４】
次に、建築用板材３は、主板３１の幅方向両端箇所に半山形状部３２，３２が形成され、該両半山形状部３２，３２の上端より被嵌合部３３，３３が形成されている〔図１（Ａ）参照〕。前記半山形状部３２は、前記主板３１に対して幅方向両端より上向きで外方に傾斜状として形成されている。
【００３５】
被嵌合部３３は、２つの実施形態が存在し、その第１実施形態では前記半山形状部３２の上端より外方に向かって水平片３３ａが形成され、該水平片３３ａの外端より垂直状片３３ｂが形成され、該垂直状片３３ｂの上端より内方側（主板３１側）に向かって被嵌合屈曲片３３ｃが形成されたものである〔図１（Ｂ）参照〕。
【００３６】
また、被嵌合部３３の第２実施形態では、前記半山形状部３２の上端より内方側（主板３１側）に向かって上方側に傾斜する内方傾斜片３３ｄが形成され、該内方傾斜片３３ｄの上方より前記主板３１の外方に向かって三角山形嵌合片３３ｅが形成されたものである〔図４（Ｂ），図５（Ｂ）参照〕。被嵌合部３３の第２実施形態は、前述した第２及び第３実施形態の建築用キャップ材Ａ1に好適なものである。
【００３７】
次に、建築用キャップ材Ａ1と、建築用板材３とから屋根，壁等の外囲体Ａを施工することについて説明する。まず、母屋，胴縁等の構造材５１に受具５２が所定間隔をおいて固着される。受具５２は、略台形状に形成され、頂部５２ａの幅方向両側から脚部５２ｂ，５２ｂが形成されたものである。
【００３８】
そして、隣接する受具５２，５２間に建築用板材３が配置され、半山形状部３２が受具５２上に配置される。受具５２上で隣接する半山形状部３２，３２は、左右対称に対向する構成となる。次いで、受具５２の頂部５２ａ上に吊子５３がボルト・ナット等の固着具を介して固着される。該吊子５３は、吊子本体５３ａの幅方向両側に舌片５３ｂ，５３ｂが形成されている〔図１（Ｂ）参照〕。
【００３９】
吊子５３の両舌片５３ｂ，５３ｂが受具５２上で隣接対向する被嵌合部３３，３３に巻き付けられる〔図１（Ｂ）参照〕。これによって、受具５２に両被嵌合部３３，３３と共に建築用板材３，３が受具５２に固定される。受具５２上で隣接する建築用板材３，３の被嵌合部３３，３３に建築用キャップ材Ａ1の嵌合脚部１２，１２が嵌合され、これを順次繰り返すことにより屋根，壁等の外囲体Ａが施工される。
【００４０】
次に、建築用キャップ材Ａ1と建築用板材３，３，…にて構成された屋根，壁等の外囲体Ａに太陽光発電ユニット６を装着することについて説明する。次に、外囲体Ａで平行に配置された複数の建築用キャップ材Ａ1，Ａ1，…上の隣接するＴ形状部２，２のそれぞれの挿入用空隙部２３，２３，…に太陽光発電ユニット６を挿入するようにして差し込む（図１参照）。これによって、太陽光発電ユニット６を外囲体Ａに強固に装着することができる。
【００４１】
本発明では、外囲体Ａに装着する構造物を太陽光発電ユニット６としたが、前記構造物は、太陽光発電ユニット６に限定されるものではなく、たとえば緑化屋根を構成するための緑化パレットをＴ形状部２の挿入用空隙部２３に固定し、外囲体Ａを緑化屋根とすることもできる。
【符号の説明】
【００４２】
Ａ1…建築用キャップ材、１１…上面部、１２…嵌合脚部、２…Ｔ形状部、
２１…垂直状立上り部、２２…水平状部、３…建築用板材、３２…半山形状部、
３３…被嵌合部、６…太陽光発電ユニット。
【図１】
2013245543.tif 000003
【図２】
2013245543.tif 000004
【図３】
2013245543.tif 000005
【図４】
2013245543.tif 000006
【図５】
2013245543.tif 000007